(57)【特許請求の範囲】
【請求項１】
一端に内側方に突出した係合溝を有する雄型連結部、他端に外側方に突出した係合片と固定部を有する雌型連結部を形成した長尺状の建築用パネルと、平板状の硬質基材と、水平面状の化粧面部と、該化粧面部の両端を内方に屈曲し先端を内側方に突出した上面と、該上面の先端を内方に屈曲し先端を外側方に突出した固定面と、化粧面部と上面とから外側方に突出した断面略コ字状の嵌合片を形成した長尺状のジョイントとからなり、硬質基材にジョイントを固定具により固定し、ジョイントの両端の嵌合片に建築用パネルの係合溝を係合し、雌型連結部の固定部を固定具により硬質基材に固定されていることを特徴とする複合パネル。
【発明の詳細な説明】
【０００１】
【発明の属する技術分野】
本発明は建築、構築物の内壁材、外壁材、屋根材、天井材、床材、間仕切り材、等として使用でき、しかも施工性、断熱性、防火性、吸音性、等に優れた複合パネルに関するものである。
【０００２】
【従来の技術】
一般に、建築用パネルとしては、薄板状の表面材と裏面材にて合成樹脂発泡体からなる芯材をサンドイッチした建築用パネル、窯業系の建築用パネル、セメント系押出パネル等、数多く発明、考案されて上市されている。
【０００３】
【発明が解決しようとする課題】
しかしながら、このような建築用パネルは、幅が１５０ｍｍ〜５００ｍｍ位であり、また、厚さが１０ｍｍ〜３０ｍｍ位であるために、施工性、断熱性、防音性に問題があった。
【０００４】
【課題を解決するための手段】
本発明はこのような欠点を除去するために、一端に内側方に突出した係合溝を有する雄型連結部、他端に外側方に突出した係合片と固定部を有する雌型連結部を形成した長尺状の建築用パネルと、平板状の硬質基材と、水平面状の化粧面部と、化粧面部の両端を内方に屈曲し先端を内側方に突出した上面と、上面の先端を内方に屈曲し先端を外側方に突出した固定面と、化粧面部と上面とから外側方に突出した断面略コ字状の嵌合片を形成した長尺状のジョイントとからなり、硬質基材にジョイントを固定具により固定し、ジョイントの両端の嵌合片に建築用パネルの係合溝を係合し、雌型連結部の固定部を固定具により硬質基材に固定されている複合パネルを提案するものである。
【０００５】
【発明の実施の形態】
以下に図面を用いて、本発明に係る複合パネルの一実施例について詳細に説明する。すなわち、複合パネルＡは図１（斜視図）、図２（ａ）〜（ｄ）（断面図）に示すようなものであり、建築用パネルＢ、硬質基材Ｃ、ジョイントＤ、固定具βとからなるものである。また、図４は建築用パネルＢの連結状態を示す断面図、図５（ａ）〜（ｃ）はジョイントＤを示す断面図、図６はジョイントＤと建築用パネルＢの連結状態を示す断面図、図７（ａ）〜（ｄ）は施工部材Ｅを示す断面図である。
【０００６】
建築用パネルＢは図３に示すように、例えば表面材１と裏面材２でフェノール樹脂を主原料とする合成樹脂発泡体からなる芯材３を、サンドイッチした長尺状の建築用部材である。
【０００７】
さらに詳説すると建築用パネルＢは、長尺で金属製の薄板からなる表面材１と裏面材２間に芯材３をサンドイッチし、幅方向の一端に形成した係合溝５を有する雄型連結部４、他端に形成した係合片７と固定部８を有する雌型連結部６とから形成した金属系サイディング材である。また、図８において、αは躯体、βは固定具である。勿論、躯体αは木造下地、鉄骨下地、軽量鉄骨下地、等よりなり、アスファルトフェルト、防風透湿シート（商品名：タイベック等）、等のシートが形成されている下地でも良いものである。
【０００８】
表面材１は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したものである。
【０００９】
裏面材２は、金属材、あるいはアスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート等からなるものである。
【００１０】
芯材３は例えばポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、例えばレゾール型フェノールの原液と、硬化剤、発泡剤を混合し、表面材１、もしくは裏面材２の裏面側に吐出させ、加熱して反応・発泡・硬化させて形成したものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、防火性を向上させることもできる。
【００１１】
また、芯材３としてはセメント板、炭酸カルシウム板、珪酸カルシウム板、セラミック板、木片セメント板、炭酸マグネシウム板、シージングボード、シージングインシュレーションボード等、あるいはこれらにガラス繊維、ウィスカー、アラミド繊維、スチール繊維、炭素繊維、各種鉱物繊維、各種骨材等を混入したものを押出成形、プレス成形、射出成形、抄造法等によって成形したもの、あるいは各種繊維をクロス状、三次元状に織り、これにセメント、粘土等を含浸してパネル状に成形したものを蒸気養生、あるいは焼成したものでも良い。
【００１２】
さらに詳説すると、芯材３は主に断熱材、防火材、接着剤、補強材、緩衝材、吸音材、嵩上材、軽量化材、等として機能するものである。勿論、芯材３としてロックウール、グラスウール、セラミックウール等の無機材を使用しても良いものである。
【００１３】
また、建築用パネルＢとして、表面材１のみを成形した金属パネル、表面材１と芯材３よりなるサイディング材、あるいは窯業系サイディング材、セメント系押出パネル、ＡＬＣパネル、セラミック系パネル、等を使用することもできるものである。
【００１４】
硬質基材Ｃは合板（ＯＳＢ）、セメント板、炭酸カルシウム板、珪酸カルシウム板、セラミック板、木片セメント板、炭酸マグネシウム板、シージングボード、シージングインシュレーションボード等、あるいはこれらにガラス繊維、ウィスカー、アラミド繊維、スチール繊維、炭素繊維、各種鉱物繊維、各種骨材等を混入したものを押出成形、プレス成形、射出成形、抄造法等によって成形したもの、あるいは各種繊維をクロス状、三次元状に織り、これにセメント、粘土等を含浸してパネル状に成形したものを蒸気養生、あるいは焼成したもの、もしくは金属薄板間に合成樹脂発泡体を積層したサンドイッチパネル、上記硬質基材とシート状物間に合成樹脂発泡体を形成したサンドイッチパネル、等からなるものである。勿論、これらを複合した部材（カナッペ構造、サンドイッチ構造、等に形成）を硬質基材Ｃとして使用することもできるものである。
【００１５】
ジョイントＤは図５（ａ）に示すようなものであり、図５（ｂ）に示す基材９と図５（ｃ）に示す連結部材１０を接着剤、連結部材１０による係合、等により一体化したものである。
【００１６】
基材９は上記硬質基材と同質材よりなるものであり、防火材、断熱材、嵩上げ材、防音材、等の機能を有するものである。
【００１７】
連結部材１０は水平面状の化粧面部１１と、化粧面部１１の両端を内方に屈曲し先端を内側方に突出した上面１２と、上面１２の先端を内方に屈曲し先端を外側方に突出した固定面１３と、化粧面部１１と上面１２とから外側方に突出した断面略コ字状の嵌合片１４を形成した長尺状部材である。
【００１８】
ジョイントＤは図６に示すように、建築用パネルＢの係合溝５を係合し、硬質基材Ｃ上に、建築用パネルＢの雄型連結部４側を固定するためのものである。
【００１９】
建築用パネルＢは、ジョイントＤを中心に、建築用パネルＢの雄型連結部４を硬質基材Ｃに固定することにより、雌型連結部６側の固定部８を硬質基材Ｃに固定することができ、建築用パネルＢを複数枚固定した場合に、両端を確実に固定具βのみで固定できるものである。なお、建築用パネルＢをそのまま雄型連結部４と雌型連結部６の係合により固定すると、張り始めの建築用パネルＢの雄型連結部４を別途金具等で固定する必要が出るものである。
【００２０】
固定具βは、硬質基材Ｃに建築用パネルＢを固定するためのもので、釘、ビス、スクリューネジ、ボルト−ナット、等よりなるものである。
【００２１】
図８に示す施工部材Ｅは、図７（ａ）〜（ｄ）に示すような固定部材Ｆとカバー部材Ｇとからなるものである。
【００２２】
固定部材Ｆは図７（ａ）に示すように基材１５（図７（ｃ）に示す）と係止部材１６（図７（ｄ）に示す）とからなるものである。また、固定部材Ｆは接着剤、あるいは係合、等により一体化したものである。
【００２３】
基材１５は上記硬質基材と同質材よりなるものであり、防火材、断熱材、嵩上げ材、防音材、等の機能を有するものである。
【００２４】
係止部材１６は、水平面１７と、水平面１７の両端縁を内方に屈曲した側面１８と、側面１８の先端を内側方に突出した係止片１９とから形成したものである。
【００２５】
カバー部材Ｇは水平面状の化粧面２０と、化粧面２０の両端縁を内方に屈曲した側面２１と、側面２１の先端を内側方に屈曲して突出した係止面２２とから形成したものである。
【００２６】
次に、本発明に係る複合パネルＡの施工方法について図８〜図１１を用いて説明する。まず、図９に示すように、複合パネルＡを躯体αに複数枚固定具βを介して固定する。次に、図１０に示すように施工された複合パネルＡの両端の雌型連結部６側に、固定部材Ｆを挟み込み、固定部材Ｆの水平面１７を固定具βにより躯体αに固定する。最後に、図１１、図８に示すように、カバー部材Ｇを固定部材Ｆに係止し、施工を完了するものである。
【００２７】
以上説明したのは本発明に係る複合パネルの一実施例にすぎず、図１２（ａ）〜（ｇ）〜図２１（ａ）〜（ｉ）に示すように形成することもできる。
【００２８】
図１２（ａ）〜（ｇ）は建築用パネルＢのその他の実施例を示す断面図である。また、Ｈはパッキング材、コーキング材等のシーリング材である。
【００２９】
図１３（ａ）〜（ｅ）は基材９のその他の実施例を示す断面図である。
【００３０】
図１４（ａ）〜（ｆ）はジョイントＤその他の実施例を示す断面図である。
【００３１】
図１５（ａ）〜（ｆ）は基材１５のその他の実施例を示す断面図である。
【００３２】
図１６（ａ）〜（ｇ）は係止部材１６、固定部材Ｆのその他の実施例を示す断面図である。
【００３３】
図１７（ａ）〜（ｅ）はカバー部材Ｇのその他の実施例を示す断面図である。
【００３４】
図１８（ａ）、（ｂ）は複合パネルＡのその他の実施例を示す断面図であり、（ａ）図は固定具βを硬質基材Ｃより突出し、硬質基材Ｃに沿って折り曲げて形成することにより固定強度を向上した複合パネルＡである。
【００３５】
図１９、図２０は出隅部、入隅部に形成する施工部材Ｅを示す施工状態断面図である。
図１４（ａ）〜（ｆ）はジョイントＤその他の実施例を示す断面図である。
【００３６】
図２１（ａ）〜（ｉ）は基材Ｃのその他の実施例を示す断面図であり、（１）上記した硬質基材でカナッペ構造、サンドイッチ構造に形成した基材Ｃ、（２）シート状物、硬質基材、合成樹脂発泡体等で、カナッペ構造、サンドイッチ構造に形成した基材Ｃ、等である。
【００３７】
【発明の効果】
以上説明したように本発明に係る複合パネルによれば、▲１▼１部材で大きな面積を施工できるために施工能率が向上する。▲２▼施工する方向性がなくなるために、左右（上下）どちらにでも施工できる。▲３▼防音性が向上する。▲４▼難燃性が向上する。▲５▼断熱性が向上する。▲６▼基材として耐熱素材を使用すると、耐火構造、準耐火構造等の防火構造試験に合格できる壁構造となる。等の特徴、効果がある。
【図面の簡単な説明】
【図１】本発明に係る複合パネルの代表例を示す斜視図である。
【図２】本発明に係る複合パネルの代表例を示す断面図である。
【図３】建築用パネルを示す断面図である。
【図４】本発明に係る複合パネルの代表例を示す拡大断面図である。
【図５】ジョイントを示す断面図である。
【図６】本発明に係る複合パネルの代表例を示す拡大断面図である。
【図７】施工部材を示す断面図である。
【図８】本発明に係る複合パネルの施工状態を示す拡大断面図である。
【図９】本発明に係る複合パネルの施工順序を示す拡大断面図である。
【図１０】本発明に係る複合パネルの施工順序を示す拡大断面図である。
【図１１】本発明に係る複合パネルの施工順序を示す拡大断面図である。
【図１２】建築用パネルのその他の実施例を示す断面図である。
【図１３】基材のその他の実施例を示す断面図である。
【図１４】ジョイントのその他の実施例を示す断面図である。
【図１５】固定部材の基材のその他の実施例を示す断面図である。
【図１６】固定部材のその他の実施例を示す断面図である。
【図１７】カバー部材のその他の実施例を示す断面図である。
【図１８】本発明に係る複合パネルのその他の実施例を示す断面図である。
【図１９】本発明に係る複合パネルのその他の実施例を示す断面図である。
【図２０】本発明に係る複合パネルのその他の実施例を示す断面図である。
【図２１】本発明に係る複合パネルに使用する基材のその他の実施例を示す断面図である。
【符号の説明】
α  躯体
β  固定具
Ａ  複合パネル
Ｂ  建築用パネル
Ｃ  硬質基材
Ｄ  ジョイント
Ｅ  施工部材
Ｆ  固定部材
Ｇ  カバー部材
Ｈ  シーリング材
１  表面材
２  裏面材
３  芯材
４  雄型連結部
５  係合溝
６  雌型連結部
７  係合片
８  固定部
９  基材
１０  連結部材
１１  化粧面部
１２  上面
１３  固定面
１４  嵌合片
１５  基材
１６  係止部材
１７  水平面
１８  側面
１９  係止片
２０  化粧面
２１  側面
２２  係止面
【図１】
0004090130.tif 000002
【図２】
0004090130.tif 000003
【図３】
0004090130.tif 000004
【図４】
0004090130.tif 000005
【図５】
0004090130.tif 000006
【図６】
0004090130.tif 000007
【図７】
0004090130.tif 000008
【図８】
0004090130.tif 000009
【図９】
0004090130.tif 000010
【図１０】
0004090130.tif 000011
【図１１】
0004090130.tif 000012
【図１２】
0004090130.tif 000013
【図１３】
0004090130.tif 000014
【図１４】
0004090130.tif 000015
【図１５】
0004090130.tif 000016
【図１６】
0004090130.tif 000017
【図１７】
0004090130.tif 000018
【図１８】
0004090130.tif 000019
【図１９】
0004090130.tif 000020
【図２０】
0004090130.tif 000021
【図２１】
0004090130.tif 000022